(57)【特許請求の範囲】
【請求項１】
長さを持つ異形支柱は、３面から成る三角点の正面に、突起型仕切りを設け、突起型仕切りの正面はある巾を持ち、その正面の左右側面と接する２面は、スケール面で左右の面に、異なるスケールの目盛を備え、異形支柱の長手方向の片側端部を垂直に立てて、異形支柱の背面を、組み付けたベースと補助ベースの開口部正面の側面に合わせ、補助ベースの平面中央で、留め金具と化粧ビスで固定し、ベースに取付けた異形支柱の底面を、左右のスケールの目盛の基準線とし、基準線より上部縦方向に目盛を有し、平面から垂直方向に高さを間接的に測ることのできる、二種類の異なるスケールの目盛を持つ、異形支柱とベースからなることを特徴する卓上スケール。
【発明の詳細な説明】
【技術分野】
【０００１】  本発明は、能面、仏像彫刻などの伝統工芸である作品、又は、制作する作品の材料を机の上などの平面に置いて、置いた平面の位置から作品の高さの寸法の測定、又は、参考資料の寸法図に基づいて制作する作品の材料、制作中の作品に、高さの寸法を罫書きするときに必要とするスケールで、トースカンを用いて、トースカンの指針から作品の高さの測定寸法、参考資料の図面寸法をスケールの目盛に指針を合わせることで、正確に測定することができる尺貫法、又は、メートル法のスケールの目盛を持つ卓上スケールに関するものである。
【背景技術】
【０００２】  従来の能面、仏像彫刻などの置物の制作は、胡坐をかいた状態で尺貫法の曲尺を用いて、目視で測定し制作を行なっているが、生活習慣の変化で椅子に座って、机の上で制作することが多く、又、尺貫法からメートル法の改正後も、参考資料の書籍は、尺貫法が多く、メートル法に換算した制作図の書籍も最近発刊されるようになり、資料に描かれた制作図に合わせて、尺貫法、メートル法の何れかのスケールを選び、机の上に置き、スケールを片手で持って、机の上で垂直になるように立てて、スケールの目盛を測定する作品に近づけて、測定する位置の目盛りを目視で読み、又は、制作する作品の罫書きの位置をスケールの目盛で確認し、スケールを作品に近づけて、目盛の位置を目視で作品に罫書きを行なっている状態である。【０００３】  そして、制作図を基に制作中の作品に罫書きするには、制作が進むに連れ作品は立体的になり、作品にスケールを近づけて、罫書きをするのに、スケールの目盛の位置と作品が離れている状態で、目視で罫書きを行なうには、目視は経験と時間を費やす為、初心者には難しく、そこで、トースカンを用いて、同じ平面の上に作品とトースカンを置き、その置いた同じ平面に片手でスケールを立てて、片方の手でトースカンを握り移動しながら、スケールの目盛にトースカンの指針を向け、制作図の寸法に指針をスケールの目盛に合わせ、合わせた状態で指針を作品に当て、罫書きを行なっているが、片手に持っているスケールが前後に振れて、垂直に立てているのが難しく、不安定の状態で、トースカンの指針をスケールの目盛に近づけて、合わせるのに時間がかかり正確さを失う状態である。
【発明の概要】
【発明が解決しようとする課題】
【０００４】  そこで、尺貫法とメートル法の二種類のスケールを用意し、作品、又は、参考資料の制作図に合わせて、スケールを選び机の上に置き、スケールを片手で持って垂直に立て、作品の測定する箇所の高さの寸法を求めるのに、もう一方の片手で持ったトースカンを移動しながら、トースカンの指針をスケールの目盛に合わせるのに、スケールが前後に振れて傾き不安定の状態で時間を取り、測定誤差の心配もあり、それを無くすために、片手で持ったスケールが垂直であるか、傾いているか、心配も気遣いも無く、二種類のスケールが一体と成って机の上に場所を取らずに垂直に立てて、尺貫法、又は、メートル法の目盛にトースカンの指針を簡単に合わせることが出来ること。
【課題を解決するための手段】
【０００５】  本発明は、上記課題を解決するために、尺貫法とメートル法の異なるスケールを異形支柱の長手方向の二面にスケールの目盛を有し、その異形支柱を垂直に立てるために、異形支柱の背面の端部に、ベースを取り付け一体化し、机の上の平面で垂直に立てることができ、そして、異形支柱の下部端部が机の上の平面と接する面に、スケールの目盛の基準線を設け、その基準線より異形支柱の上部縦方向に目盛を有することで、スケールの上部目盛の位置に、トースカンの指針を合わせる時に、前後に振れて傾くことなく、トースカンの指針を正確にスケールの目盛に合わせることができ、高さを測定することができる。
【発明の効果】
【０００６】  上述したように本発明は、能面、仏像彫刻、など各種の書籍の参考図に合わせた尺貫法、又は、メートル法の二種類のスケールを異形支柱の突起型仕切りの正面の左右側面と接する面に、尺貫法とメートル法の異なる目盛を設けることによって、異型支柱に二種類の異なるスケールが、同一の異形支柱で保持することができ、机の上の面に異形支柱を垂直に安定した状態で立てて、異形支柱の背面の下部端部を、ベースと補助ベース正面の開口部の側面に合わせ、留め金具と化粧ビスを用いて、補助ベースの平面中央の位置に固定することで、異形支柱を垂直に立てることができて、制作する参考書に合わせて尺貫法、又は、メートル法の何れかを選び、異形支柱のスケール面の向きを変えることで、簡単に尺貫法とメートル法のスケールを選ぶことができる。【０００７】  そして、ベース正面に設けた、異形支柱の突起型仕切りの正面の左右側面と接する左右スケール面は、異形支柱の背面の左右側面までの広い巾の面で、その左右スケール面にスケールの目盛を設けることで、スケールの目盛の巾を広くすることができ、目盛が読み易く、トースカンの指針を、スケールの目盛に近づけると、目盛に合わせようとして、自然に反射的に正面に目盛を向け、片側の異なるスケールの目盛は、突起型仕切りによって視線から隠れることで、気にすることなく、スケールの目盛にトースカンの指針を、近づけて合わせることができ、卓上スケールの移動も、補助ベースの上に軽く片手で握り、机の上の面を滑るように移動し、卓上スケールの左右スケール面は垂直で、スケールの目盛にトースカンの指針を正確に合わせることが出来、作品の高さの測定位置を測ることと、制作する作品に制作図の寸法を罫書きすることができる。【０００８】  それで、卓上スケールのベースの上にある補助ベースと異形支柱を組み付けて、一体化している留め金具と化粧ビスを取り外し、補助ベースと異形支柱を分離することで、異形支柱を一般的な尺貫法スケールとメートル法スケールとして使用することができ、又、机の上の平面などに置いての測定、線を引く場合、突起型仕切り部分を上から軽く摘まんで、押さえながらの移動などすることができる特長ある卓上スケール。
【図面の簡単な説明】
【０００９】
【図１】  正面図
【図２】  左側面図
【図３】  右側面図
【図４】  平面図
【図５】  背面図
【図６】  低面図
【発明の実施するための形態】
【００１０】  以下、本発明の実施の形態を図１〜図６に基づいて説明する。
【００１１】  図１は、正面図で、ベース１と補助ベース８は、ある厚みを持った側面の正面に、開口部を中央に設け、その開口部の側面に、異形支柱２の長手方向の背面７端部をベース１と補助ベース８の側面に取付けて、異形支柱２の正面に突起型仕切り３を有し、突起型仕切り３の正面は、一定の巾を備え、その左右側面と接する左右スケール測面６ａ・６ｂから、背面７の左右側面６ｃ・６ｄまでの面が、左右スケール面４・５で、突起型仕切り３の正面から見て、左右のスケール面４・５は、異形支柱２の背面７方向に広がる面で、その面に、異なるスケールの目盛を備え、スケール目盛の基準線１１を、平面に接する異形支柱２の左右スケール面４・５の下部端部の底面とし、その面から左右スケール面の縦方向に目盛を設けている。
【００１２】  そして、垂直の異形支柱２の正面にある、突起型仕切り３の左右側面と接する左右スケール測面６ａ・６ｂから、異形支柱２の背面７の左右側面６ｃ・６ｄの面は、角度の有る左右スケール面４・５で、その面に設けたスケール目盛の下部に、トースカンの指針を合わせることと、異形支柱２の重心を安定するために、ベース１と補助ベース８に開口部を設けることで、スケールの目盛の基準線１１から、上部スケールの目盛まで、トースカンの指針を合わせることができ、異形支柱２をベース１と補助ベース８の中心部に近づけている。
【００１３】  図２、図３は、左右側面図で、ベース１の上に補助ベース８を設け、ベース１側面と異形支柱２の突起型仕切り３の正面の側面を合わせ、その側面より突起型仕切り３側面と接するスケール測面６ａ・６ｂを後方にすることで、左右スケール面４・５を保護し、その面は背面７の左右側面６ｃ・６ｄまでの広い巾の面で、その左右スケール面４・５の縦方向にスケールの目盛を設けて、異形支柱２の重心をベース１の中央側に置くように、ベース１と補助ベース８に側面に開口部を設け、異形支柱２の背面８と補助ベース８を留め金具９と化粧ビス１０で固定し、ベース１の上にある補助ベース８を一回り小さくし、沿える手が握り易く、机の上の面を滑るように安定した動きで移動することができる。
【００１４】  図４は、平面図で、異形支柱２を取付けるベース１と補助ベース８の大きさは、補助ベース８は一回り小さく、ベース１と補助ベース８の側面の中央に、台形状に開口部を設けて、その開口部側面と異形支柱２の背面７を補助ベース８の平面の中央で、留め金具９と化粧ビス１０で取付け、そして、中央の異形支柱２の突起型仕切り３正面の左右スケール面４・５は、突起型仕切り３側面と接する左右スケール測面６ａ・６ｂから角度を持って、異形支柱２の背面７の測面６ｃ・６ｄに左右スケール面４・５を設けることで、スケール面の巾を広くすることができ、その面に異なる尺貫法スケールとメートル法スケールをそれぞれ備えている。
【００１５】  図５は、背面図で、ベース１の上部補助ベース８と異形支柱２の背面７は、巾が広く異形支柱の重心がベース１と補助ベース８の中央側になるようにして、異形支柱２の背面７の下部中央で、留め金具９と化粧ビス１０で、組み付けて卓上スケールを構成している。
【００１６】  図６は、底面図で、ベース１と異形支柱２の底面で、ベース１は、長方形で底面の中央部に近い片側長手方向に台形状の開口部を設けて、その開口部の側面に、異形支柱２の三面の一面である背面をベース１と組み付けて、背面の左右側面６ｃ・６ｄから正面の突起仕切りの３の側面と接するスケール側面６ａ・６ｂの左右二面から成る左右スケール面４・５で、ベース１と異形支柱は一体となった底面は、段差が無い平面で有って、机の上の平面に異形支柱を垂直に立てることができ滑らかに移動することができる構造である。
【００１７】  以上のように、本実施形態の異形支柱２は、正面に突起型の仕切り３と、その左右側面に尺貫法スケールとメートル法スケールを備えた、異形支柱２の長手方向の片側端部の背面７と、補助ベース８の平面中央で、留め金具９と化粧ビス１０を用いて固定し、一体化した卓上スケールで、能面、仏像彫刻、などの立体構造の作品の高さの測定、又、参考資料に合わせてスケールを用いることができ、高さの寸法を測ることと、罫書き寸法を求めることが簡単にできる間接卓上スケールである。
【産業上の利用可能性】
【００１８】  能面、仏像彫刻教室、愛好家サークルなどで現在使用しているスケールは、二種類の尺貫法とメートル法の物差し、又は、曲尺で、参考資料の制作図によって、どちらかを選び、選んだスケールを机の上に置き、曲尺を使用すると場所を取り、又、物差しを手で持って垂直に立てると、前後に傾き先端が振れて非常に不安定で、物差しの目盛にトースカンの指針を的確に、合わせることが難しく時間をとり、本発明の卓上スケールを用いることによって、尺貫法とメートル法の使い分けができ、机の上で傾くことなく、場所と無駄な時間を取らず、高さを正確に測ることが誰でもができて、能面、仏像彫刻など伝統工芸を制作する多くの愛好家、これから始める初心者に貢献できる。
【符合の説明】
【００１９】  １    ベース
２    異形支柱
３    突起型仕切り
４    左スケール面
５    右スケール面
６ａ  左スケール側面
６ｂ  右スケール側面
６ｃ  左側面
６ｄ  右側面
７    背面
８    補助ベース
９    留め金具
１０  化粧ネジ
１１  基準線
【図１】
0005508470.tif 000002
【図２】
0005508470.tif 000003
【図３】
0005508470.tif 000004
【図４】
0005508470.tif 000005
【図５】
0005508470.tif 000006
【図６】
0005508470.tif 000007